Podtech/llm-jp-corpus-v4-ja_patent huggingface dataset:
(57)【要約】      （修正有）【課題】鳩や建物を傷けることなく、耐久性に優れた鳩飛来防止具を提供する。【解決手段】鳩がとまりにくい傾斜を設け、さらに表面特殊加工でＶ型の溝を付けたことで、表面の摩擦係数を大幅に減らした。軽量で耐久性に優れた鳩飛来防止資材である。さらに巣を作るスペースを与えないのが特徴である。【選択図】図６
0003163211.tif 000002
【実用新案登録請求の範囲】
【請求項１】
鳩がとまりにくい傾斜角度を設け、本体表面傾斜部には、特殊加工のＶ型の溝を付けたことで、表面の摩擦係数を大幅に減らした。軽量で耐久性に優れた鳩及びその他鳥類の鳩飛来防止具である。
【考案の詳細な説明】
【技術分野】
【０００１】この考案は、鳩が住み着きやすい駅や倉庫や高架下等のＨ型鉄骨等に設置する。取り外しが容易で耐久性に優れ安全性を考慮した鳩飛来防止具である。表面に鳥類などが止まれない様に特種加工を施したものであり、ポリカーボネイトの成型品である。
【背景技術】
【０００２】  従来では駅や工場内外の構造物、特にＨ型の梁、胴縁など、鋼材表し部分においては、プロテクターや磁石を利用して寄せ付けない、鳩を威嚇して追い払う、さらに強い薬品を使用して鳩を殺傷しまう、剣山にいたっては非常に危険性があり効果が一時的な物や鳩を傷つけてしまうなど、安全かつ有効な対策に苦労している。人の作業環境における鳩被害においては、巣を作られて住み着いてしまい、年々鳩が増加し苦労している。
【考案の概要】
【考案が解決しようとする課題】
【０００３】  駅や大規模工場、商業施設等において特に鳩フンが作業環境や衛生面で、問題になっている。病原には（ウイルス、オウム病等）が多く含まれている。鳩が飛来しフンを落としていくことで、品質、環境に大きく影響を与えていた。また食品会社、製造メーカー、官公庁施設などにおいても、薬品での対策は人に対する危険性も高く、匂いや衛生面、安全性、景観などに影響を及ぼすものであった。安全で取付けが用意で設置以後の建物のメンテナンス、環境に対する配慮、安全性をクリアーする対策が求められていた。
【課題を解決するための手段】
【０００４】  上記の目的を達成するために、本考案における鳩［鳥類］飛防止ダンパーは、止まりずらい傾斜角の中で最も緩い傾斜角を実験した。鳩が姿勢を崩し、緩やかで完全に止まれない製品とした。【０００５】  鳥類の足の特徴を捉え、止れない溝巾、深さ、形状を実験し、摩擦係数を極限に減らした表面加工を施して緩やかで完全に止まれない製品とした。【０００６】剣山や薬品のように、鳩や小鳥などが傷つくことなく、物理的に飛来を防止できる
【考案の効果】
【０００７】  請求１の表面処理をした鳩飛来防止ダンパーにおいて、耐久性や飛来防止の効果が一時的であった。本考案は、材質がカーポートで使用している材質同等のポイカーボネイトを使用しており実績があり、厚みも３ｍｍあり外部使用時でも既存の鳩対策商品より耐久性を大幅に向上させた。傾斜角が大きければ止まれないが、製品が大きくなりコスト面において不利になってしまう。一般のカーポートにおいても１０年は使用しているものと考えると同等の耐久性能がある。【０００８】  既存の剣山タイプでは、よく剣山上部に鳩が枝を加えてきて１年もすると巣作りを始めることが多く見受けられた。しかし、本考案は、鳩等の鳥が飛来定着できない傾斜が付いており、またＶ型溝により摩擦係数を大幅に減らしたことで、いかなる物もとどまる事はできない。【０００９】  高架下駐車場や広場での鳩フン飛来防止対策では、景観や商品の落下危険性が問題であった。本考案品は既存鉄骨取付け部に接着することで、一体感があり、さらに鉄板やステンレス製と比べてもとても軽量である。また剣山のような物理的危険性はなく安心して設置できる。
【実施例】
【００１０】本考案の表面特殊加工付き特殊傾斜の鳥類飛来防止器具を図５・６のように建物や橋梁の梁部分の鉄骨Ｈ鋼材等に取付ける。取付け方法は、飛来防止器具の裏面を接着剤等で固定する。落下防止のためワイヤーで固定する。
【図面の簡単な説明】
【００１１】
【図１】本考案の傾視図である
【図２】本考案の傾視図である
【図３】本考案の傾視図である
【図４】本考案の傾視図である
【図５】本考案の使用状況を示す説明図である
【図６】本考案の傾視図である
【符号の説明】
【００１２】  １  材質  ポリカーボネイト
２  Ｖ型溝（表面加工リブ）
３  飛来防止傾斜
４  接着面及びクリップ差し込み穴
５  鋼材別ルーバーサイズ
６  接着固定及び落下防止ワイヤー
【図１】
0003163211.tif 000003
【図２】
0003163211.tif 000004
【図３】
0003163211.tif 000005
【図４】
0003163211.tif 000006
【図５】
0003163211.tif 000007
【図６】
0003163211.tif 000008
【手続補正書】
【提出日】平成22年7月15日(2010.7.15)
【手続補正１】
【補正対象書類名】実用新案登録請求の範囲
【補正対象項目名】全文
【補正方法】変更
【補正の内容】
【実用新案登録請求の範囲】
【請求項１】
本体は、軽量で耐久性に優れたポリカーボネイトを使用材料とし、表面は鳩がとまりにくい傾斜角度を設け、傾斜部にはＶ型の溝を付け、表面の摩擦係数を大幅に減らし鳩及びその他鳥類の飛来防止を実現した鳩飛来防止具。
(57)【要約】      （修正有）【課題】リフト式巻上げ機を応用して、高層マンション等の各階・各室のベランダや窓等から、ポストにある新聞を取り出せる新聞配布装置を提供する。【解決手段】新聞受けポストを単独な箱型の形状にして、前面に新聞の取出し口を設け後面をスライド可能な保持ブロックに固定し、保持ブロックは、ガイドを兼ねた外枠に納め上下にスライド出来る案内を有し外枠の内部ガイドに沿って走行する様に構成する。該保持ブロックは、各階の高さの距離の間隔毎に一本のワイヤー２に固定して、屋上に設けた巻上機１により吊るして保持ブロックを各階で移動停止させ、箱型ポスト３の新聞取出し口が各階の取出し易い場所え来る様に保持ブロックが格納してある外枠５を、建物の壁にサポートで固定して、各階のベランダや窓、踊り場から新聞を取出す事が出来るようにする。【選択図】図１
0003163218.tif 000002
【実用新案登録請求の範囲】
【請求項１】
高層マンション、住宅、ビルの各階各室に新聞、郵便物を配布するポストをベランダや窓に移動停止し自室から新聞、郵便物が取出せる装置
【考案の詳細な説明】
【考案の詳細な説明】
【技術分野】
【０００１】昇降設備、リフト式巻上げ機
【背景技術】
【０００２】高層の各階、各室に新聞を配達するには、各階の回廊からドアー迄行くかベランダ側の外部、すなわち空中からの配布手段しかなかった
【考案の開示】
【考案が解決しようとする課題】
【０００３】エレベーターを使わず各階各室に新聞を配布する方法
【課題を解決するための手段】
【０００４】各階各室のベランダや踊り場及び窓からポストにある新聞を取出す。
【考案の効果】
【０００５】１）早朝新聞を取りに行くだけで、往復のエレベーターを使用しなくて良い。２）エレベーターや廊下での出会いが無くなり、早朝の混雑が無くなる。３）都合のよい時に新聞等が取出せる。
【考案を実施するための最良の形態】
【０００６】配達人が来る前には１階の安全な場所へ各階ごとのポストを１階から順次積み重ねておいて新聞を各室ごとの所定のポストへ納入し終えたら巻上げ機１で各階のそれぞれのポストが最も安全で取り出し易い所定の位置で停止しておけば、いつでも取り出すことができる。本出願の図面で説明すれば、図１は配達人が納入する時の早朝の側面図、図２は新聞を取出すことが出来る状態の昼間の側面図図３は各階に停止している電気反応式ポストの拡大図、図４は図３の平面図図５は機工式ポストの拡大図、図６は図５の平面図である。ポストは配達人が納入するときは時間を決めておき（例えば０時〜ＡＭ６時）各々のポスト３は全数を１階に順次積み重ねて（１０階分だとポストの厚みを５ｃｍにすれば１０段で５０ｃｍ）おけば必要な階のポスト３の蓋を開いて投入し、最後に投入し終えた者が安全のため、キーか暗証等で巻上げ機１のスイッチを押せば図２の側面図の位置で各階に停止する。停止時間を決めておけば（例えばＡＭ６時〜ＰＭ０時）いつでも好きな時に取出すことができる。図３の構造は、ガイド付外枠５に組み込まれた保持ブロック４にポスト３を取付け走行センサー６でワイヤー２の距離を検出し、電気式ストッパー７でロックされ所定の位置迄巻上げ機１が運んで停止する。図５の構造は電気を使用せず保持ブロック４が各階の長さでワイヤー２に直接固定ストッパー８でロックされ巻上げ機１が所定の位置迄運んで停止する。尚図５のポスト３とポスト３の間には空間を設け上下階の長さのワイヤー２がその空間に収納されポスト３とポスト３によって挟まれないワイヤー２溜りを設けておく。ガイド付外枠５は保持ブロック４の走行を案内し垂直方向のたわみに耐える構造で、安全カバーでもある。尚図１の１階で新聞を納入し終えたら、ガイド付外枠５の１階部分は２階の下まで格納しておく。
【図面の簡単な説明】
【０００７】
【図１】
【図２】
【図３】
【図４】
【図５】
【図６】
【符号の説明】
【０００８】１  巻上げ機２  ワイヤー３  ポスト４  保持ブロック５  ガイド付外枠６  走行センサー７  電気式固定ストッパー８  直接式固定ストッパー９  電線
【図１】
0003163218.tif 000003
【図２】
0003163218.tif 000004
【図３】
0003163218.tif 000005
【図４】
0003163218.tif 000006
【図５】
0003163218.tif 000007
【図６】
0003163218.tif 000008
【手続補正書】
【提出日】平成22年7月17日(2010.7.17)
【手続補正１】
【補正対象書類名】実用新案登録請求の範囲
【補正対象項目名】全文
【補正方法】変更
【補正の内容】
【実用新案登録請求の範囲】
【請求項１】
新聞受けポストを単独な箱型の形状にして、前面に新聞の取出し口を設け後面をスライド可能な保持ブロックに固定し、保持ブロックは、ガイドを兼ねた外枠に納め上下にスライド出来る案内を有し外枠の内部ガイドに沿って走行する様に構成され、各々の保持ブロックは、各階の高さの距離の間隔毎に一本のワイヤーに固定して、屋上に設けた巻上機により吊るして保持ブロックを各階で移動停止させ、箱型ポストの新聞取出し口が各階の取出し易い場所え来る様に保持ブロックが格納してある外枠を、建物の壁にサポートで固定して、各階のベランダや窓、踊り場から新聞を取出す事が出来る一連の構成を有している高層マンション、住宅、ビル各室新聞配布装置。
【手続補正２】
【補正対象書類名】明細書
【補正対象項目名】０００４
【補正方法】変更
【補正の内容】
【０００４】エレベーターや階段を使わず各階各室に新聞を配布する装置
【手続補正３】
【補正対象書類名】明細書
【補正対象項目名】０００７
【補正方法】変更
【補正の内容】
【０００７】
【図１】本考案の新聞をポストに納入する早朝の側面図
【図２】本考案の新聞を取出すことが出来る昼間の側面図
【図３】本考案のポストが保持ブロックに固定している部分の拡大図
【図４】図３を電装式にした平面図
【図５】図１で示す早朝の一階部分のポスト周りの拡大図
【図６】図５の平面図
(57)【要約】      （修正有）【課題】歯科技工においてどの場面でも使用することができるナイフを提供する。【解決手段】刃先を鋭く、刃の厚みを根元から先端へ向かって薄くし、細かい切削作業に対応すると共に、歯の外周部の切削が容易に行えるよう、刃の一部にさらに円弧状の刃を追加する。【選択図】図１
0003163217.tif 000002
【実用新案登録請求の範囲】
【請求項１】
石膏模型歯の外周を切削することを目的に刃物の一部に円弧状の刃を追加したナイフ。
【請求項２】
刃物に使用する鞘のロック機構を目的として、刃物に穴を開けて、鞘に凸状金具を取り付ける固定方法。
【考案の詳細な説明】
【技術分野】
【０００１】
本考案は、歯科技工士が用いる石膏を切削するナイフと鞘のロック機構に関してのものである。
【背景技術】
【０００２】
これまで歯科技工士が使用していた石膏を切削する刃物は、直刃の切り出しナイフ、石膏刀、デザインナイフが主であった。
【０００３】
しかし、直刃の切り出しナイフでは刃型が直線なので切削時に力を入れて切削する必要があった。石膏刀は刃が湾曲していて切削に関しては比較的スムーズに行えたが、刃先が鋭くなかったので細かい作業には不向きであった。デザインナイフは薄い刃を持っており、刃先も鋭かったので、細かい作業に適していたが、大量の石膏を切削するには不向きであった。
【０００４】
また、鞘に関しても抜きにくいものが多く、ロック機構などは付属していなかった。
【考案の概要】
【考案が解決しようとする課題】
【０００５】
解決しようとする問題点は歯科技工においてどの場面でも使用することができるナイフの刃型とナイフを安全に使用し、尚且つ素早い着脱を可能とするための鞘のロック機構である。
【課題を解決するための手段】
【０００６】
刃先を鋭くし、刃の厚みを根元から先端へ向かって薄くすることで細かい切削作業に対応すると共に、歯の外周部の切削が容易に行えるよう、刃の一部にさらに円弧状の刃を追加した（図１の２）。
【０００７】
また、鞘のロック機構に関しては、ナイフ本体に穴を開け（図１の１）、鞘に凸状の金具を取り付けはめ込む形を採用し（図２の３）、抜き取るときにナイフ本体より出た凸状金具を押し込むことで安全かつ素早い着脱を可能とした（図３の３）。  
【図面の簡単な説明】
【０００８】
【図１】歯科技工用ナイフの刃型と鞘のロック機構を説明した図である。
【図２】歯科技工用ナイフの鞘のロック機構を説明した図である。
【図３】歯科技工用ナイフの鞘のロック機構を説明した図である。
【実施例】
【０００９】
図１は、歯科技工用ナイフの側面図であり、１は鞘に取り付けた凸状金具を取り付けるための穴である。２は歯の外周部を削るために用いる円弧状の刃である。
【００１０】
図２は歯科技工用ナイフを保持する鞘のロック機構の側面図である。３は鞘に取り付ける凸状金具である。
【００１１】
図３は歯科技工用ナイフを保持する鞘のロック機構の側面図である。鞘からナイフを抜き出す場合は凸状金具を押し込みロックを解除する。
【図１】
0003163217.tif 000003
【図２】
0003163217.tif 000004
【図３】
0003163217.tif 000005
【手続補正書】
【提出日】平成22年8月9日(2010.8.9)
【手続補正１】
【補正対象書類名】実用新案登録請求の範囲
【補正対象項目名】全文
【補正方法】変更
【補正の内容】
【実用新案登録請求の範囲】
【請求項１】
歯の外周を切削することを目的に刃物の一部に円弧状の刃を追加したナイフ。
(57)【要約】      （修正有）【課題】無人ヘリコプター本体とスキッド部との共振による振動を軽減する無人ヘリコプター用振動防止装置を提供する。【解決手段】無人ヘリコプター本体とスキッド部に防振ゴムを配置する。【選択図】図１
0003163200.tif 000002
【実用新案登録請求の範囲】
【請求項１】
無人ヘリコプター機体のエンジン下部と、スキッド部とをボルト・ナット付き防振ゴムを介在して連結したことを特徴とする無人ヘリコプター用振動防止装置。
【考案の詳細な説明】
【技術分野】
【０００１】  航空写真撮影や液剤散布に用いる無人ヘリコプターなどに搭載される振動防止装置に関する。
【背景技術】  近年、ラジコンヘリコプターにテレビカメラを搭載して人間が容易に近づくことができない火山噴火口や災害現場などの取材を行うことが検討されている。【０００２】
【先行技術文献】
【特許文献】
【０００３】
【特許文献１】特開平６−１２５４９０号公開公報
【０００４】
【考案の概要】
【考案が解決しようとする課題】無人ヘリコプターのエンジン振動がスキッド（脚）部に共振、脚部が再び機体共振するため搭載受信機ジャイロ等に誤作動を起し操縦不能や、また、振動によるメインギャの破損を引き起し墜落の要因となる恐れが懸念される。
【課題を解決するための手段】無人ヘリコプター機体のエンジン下部と、スキッド部とをボルト・ナット付き防振ゴムを介在して連結したことを特徴とする無人ヘリコプター用振動防止装置とした。
【考案の効果】無人ヘリコプター本体とスキッド部に防振ゴムを配置することで、お互いの共振が伝わらなくなり振動が軽減され解消された。
【図面の簡単な説明】
【０００５】
【図１】本考案に係る一実施例を示す側面図である。
【考案を実施するための形態】
【０００６】本考案に係る一実施例を図１を参照して以下説明する。
【実施例】
【０００７】図１に図示するごとく本考案では、無人ヘリコプター機体１のエンジン下部１ａと、スキッド部２の間にボルト・ナット付き防振ゴム３を介在した無人ヘリコプター用振動防止装置とした。
【産業上の利用可能性】
【０００８】本考案では、無人ヘリコプターに適用した事例であったが、無線操縦ヘリコプターにも適用できる。
【符号の説明】
【０００９】１    無人ヘリコプター機体
１ａ  エンジン下部
２    スキッド部
３    ボルト・ナット付き防振ゴム
【図１】
0003163200.tif 000003
(57)【要約】      （修正有）【課題】缶を洗うために簡単に缶に穴をあけることができるクジリを提供する。【解決手段】水の中で缶の底面に穴をあけるのは女の人には困難な事である。握りの部分を手で握って楽に握れる大きさにしたクジリを用いれば簡単に穴はあけられる。もしあきにくい場合片手で固定してもう一方の手で押さえるか、少したたく程度で穴はあけられる。【選択図】図２
0003163192.tif 000002
【実用新案登録請求の範囲】
【請求項１】
にぎりを大きくしたクジリ
【考案の詳細な説明】
【技術分野】  これは現代社会の家庭における主婦の仕事に関するものである。
【背景技術】  今この現代においてかなり昔とは違ってきた。たとえばリサイクル、当然缶などもリサイクル時代。そこで缶を洗うにはかなり面倒である。特にビール、ジュース、コーヒの缶
【考案が解決しようとする課題】
缶をなんとか簡単に洗う事ができないか。
【課題を解決するための手段】
缶が５、６本入る位の水を張った容器の中に缶を逆さに押さえ込み、上になった底面に穴をあける、すると水が入る、後は振るだけで洗える。
もし、容器の水が缶の高さの半分位だったら穴を指でふさぎ、もちあげてそのまま振ればよい。水の節約にもなる。
【考案の効果】
これによりかん洗いが楽になり洗わずにだす人が少しだけでも少なくなれば、リサイクルセンターのひと及びリサイクル業者の人たちの手間が省ける
【考案を実施するための最良の形態】  もうかなり前からやっていましたが実際に見本を作って試したところ非常にうまくい来ました。
【産業上の利用分野】
これによりリサイクルが今以上、次ぎのリサイクルすべきものにつながればよい。
【図面の簡単な説明】
【図１】  立面図
【図２】  断面図
【図１】
0003163192.tif 000003
【図２】
0003163192.tif 000004
【手続補正書】
【提出日】平成22年3月8日(2010.3.8)
【手続補正１】
【補正対象書類名】実用新案登録請求の範囲
【補正対象項目名】全文
【補正方法】変更
【補正の内容】
【実用新案登録請求の範囲】
【請求項１】
にぎりの部分の大きさを直径５センチ位の球体（多面体でも可）にクジリを付けたカンニードル。
【手続補正書】
【提出日】平成22年6月27日(2010.6.27)
【手続補正１】
【補正対象書類名】実用新案登録請求の範囲
【補正対象項目名】全文
【補正方法】変更
【補正の内容】
【実用新案登録請求の範囲】
【請求項１】
にぎりの部分の大きさを直径５センチの球体または多面体にクジリを付けたカンニードル。
(57)【要約】      （修正有）【課題】表層フィルムにアンカー剤を塗布することなく、基層シートと表層フィルムとの接着性を強靭なものにすることができるフィルム貼合障子紙を提供する。【解決手段】フィルム貼合障子紙は、基層シート１（紙素材）の両面に溶融接着層２を介して表層フィルム３が貼り合わされている。この溶融接着層２は表層フィルム３と同素材（ポリプロピレンやポリエチレンやポリエステルやナイロンやエチレン酢酸ビニルや塩化ビニルなど）からなる。【選択図】図１
0003163133.tif 000002
【実用新案登録請求の範囲】
【請求項１】
基層シートの両面に溶融接着層を介して表層フィルムを貼り合わせたフィルム貼合障子紙において、溶融接着層は表層フィルムと同素材からなることを特徴とするフィルム貼合障子紙。
【請求項２】
前記表層フィルム及び溶融接着層の素材は、ポリプロピレンであることを特徴とする請求項１に記載のフィルム貼合障子紙。
【請求項３】
前記表層フィルム及び溶融接着層フィルムの素材は、ポリエチレンであることを特徴とする請求項１に記載のフィルム貼合障子紙。
【請求項４】
前記表層フィルム及び溶融接着層の素材は、ポリエステルであることを特徴とする請求項１に記載のフィルム貼合障子紙。
【請求項５】
前記表層フィルム及び溶融接着層の素材は、ナイロンであることを特徴とする請求項１に記載のフィルム貼合障子紙。
【請求項６】
前記表層フィルム及び溶融接着層の素材は、エチレン酢酸ビニルであることを特徴とする請求項１に記載のフィルム貼合障子紙。
【請求項７】
前記表層フィルム及び溶融接着層の素材は、塩化ビニルであることを特徴とする請求項１に記載のフィルム貼合障子紙。
【考案の詳細な説明】
【技術分野】
【０００１】
本考案は基層シートの両面に溶融接着層を介して表層フィルムを貼り合わせたフィルム貼合障子紙に関するものである。
【背景技術】
【０００２】
従来、この種のフィルム貼合障子紙においては、溶融接着層が表層フィルムと異なる素材からなる。例えば、下記の特許文献１に示すように、表層フィルムがポリプロピレンからなり、溶融接着層がポリエステルからなる。基層シートの両面に溶融接着層を介して表層フィルムを貼り合わせる際には、表層フィルムにアンカー剤を塗布した後、その表層フィルムを溶融接着層により基層シートに接着して、接着強度を高めていた。
【特許文献１】特開２００４−１１４６５３号公報
【考案の開示】
【考案が解決しようとする課題】
【０００３】
この考案は、フィルム貼合障子紙において、表層フィルムにアンカー剤を塗布することなく、基層シートと表層フィルムとの接着性を強靭なものにすることを目的としている。
【課題を解決するための手段】
【０００４】
後記実施形態の図面（図１）の符号を援用して本考案にかかるフィルム貼合障子紙を説明する。
請求項１の考案にかかるフィルム貼合障子紙においては、基層シート１の両面に溶融接着層２を介して表層フィルム３を貼り合わせ、溶融接着層２が表層フィルム３と同素材からなる。この表層フィルム３及び溶融接着層２の素材としては、例えば、請求項２の考案にかかるポリプロピレンや、請求項３の考案にかかるポリエチレンや、請求項４の考案にかかるポリエステルや、請求項５の考案にかかるナイロンや、請求項６の考案にかかるエチレン酢酸ビニルや、請求項７の考案にかかる塩化ビニルなどを採用することができる。
【考案の効果】
【０００５】
本考案は、フィルム貼合障子紙において、表層フィルム３にアンカー剤を塗布することなく、基層シート１と表層フィルム３との接着性を強靭なものにすることができる。
【図面の簡単な説明】
【０００６】
【図１】本実施形態に係るフィルム貼合障子紙を示す模式図である。
【考案を実施するための最良の形態】
【０００７】
以下、本考案の一実施形態に係るフィルム貼合障子紙について説明する。
図１に示すフィルム貼合障子紙においては、基層シート１の両面に溶融接着層２を介して表層フィルム３が貼り合わされている。この溶融接着層２は表層フィルム３と同素材からなる。この基層シート１は紙素材であって、障子紙としての風合いや光の透過性を考慮して、その紙素材にレーヨン繊維やアクリル繊維やポリエステル繊維やビニロン繊維などの合成繊維と蛍光染料とを配合している。この表層フィルム３及び溶融接着層２の素材としては、ポリオレフィン系の熱可塑性樹脂であるポリプロピレンを採用している。そのほか、ポリオレフィン系の熱可塑性樹脂であるポリエチレンを採用してもよい。そのほかの熱可塑性樹脂として、ポリエステルやナイロンやエチレン酢酸ビニルや塩化ビニルなどを採用することができる。
【０００８】
本実施形態では、基層シート１（紙素材）の両面に、表層フィルム３と同素材（ポリプロピレンやポリエチレンやポリエステルやナイロンやエチレン酢酸ビニルや塩化ビニルなど）からなる溶融接着層２を介して表層フィルム３を貼り合わせたので、表層フィルム３にアンカー剤を塗布することなく、基層シート１と表層フィルム３との接着性を強靭なものにすることができる。また、アンカー剤として有機溶剤を使用している従来の場合と比較して、環境負荷を低減させることができる。なお、表層フィルム３としてポリプロピレンを採用すると、耐水強度が高く、強い衝撃力にも耐えられるものとなる。
【符号の説明】
【０００９】
１…基層シート、２…溶融接着層、３…表層フィルム。
【図１】
0003163133.tif 000003
(57)【要約】      （修正有）【課題】巻き込み事故が起こりにくく、機構的に簡素なシュレッダーを提供する。【解決手段】シュレッダーの吸入孔１１の直上に吸入孔に沿って、吸入孔をカバーし得る太さと長さを持った巻き込み防止用のバー１２を取り付ける。また、巻き込み防止バー１２の右端は支持架３にビス１４によって回動可能に取り付けられており、また、左端は、鉄製のバー受け１５に嵌め合わせ可能となっている。これにより、指やネクタイ等が直接シュレッダーの吸入孔に入ってしまう事を防ぐ。【選択図】図１
0003163151.tif 000002
【実用新案登録請求の範囲】
【請求項１】
吸入孔の直上に吸入孔に沿って吸入孔を覆い得る太さと長さの巻き込み防止バーを設けたシュレッダー。
【請求項２】
巻き込み防止バーの一方の端が回動可能に取り付けられている請求項１のシュレッダー
【請求項３】
巻き込み防止バーの一方の端が嵌め合わせ可能に取り付けられている請求項１または２のシュレッダー
【考案の詳細な説明】
【技術分野】
【０００１】
本考案はシュレッダーに関し、特にシュレッダーの安全性に関する。
【背景技術】
【０００２】
シュレッダーについては、オフィスで使用中に吸入孔にネクタイを巻き込まれたり、また、近年の家庭への普及に伴い、家庭で子供がいたずら等で吸入孔に指を入れて怪我をしたり、といった事故が発生しており、その安全性を向上させる必要が高まっている。それに対し、特許文献１等の従来技術がある。
【先行技術文献】
【特許文献】
【０００３】
【特許文献１】特開２００８−１０４８９６号公報
【考案の概要】
【考案が解決しようとする課題】
【０００４】
しかしながら、従来技術は機構的に大掛かりであるという課題があった。
【０００５】
本考案は、上記のような事故を防ぎ、より機構的に簡素なシュレッダーを提供することを課題とする。
【課題を解決するための手段】
【０００６】
本考案のシュレッダーは、シュレッダーの吸入孔の直上に吸入孔に沿って、吸入孔をカバーし得る太さと長さを持った巻き込み防止バーを設けた事を特徴とする。
【考案の効果】
【０００７】
上記の様な巻き込み防止バーを取り付ける事に因り、オフィスで使用中に、不注意でシュレッダーの真上に屈んだとしても、ネクタイ等が直接吸入孔には入らなくなり、また、子供がいたずら等で吸入孔に指を近づけたとしても、指が吸入孔やその奥の裁断機構まで届く事は無く、シュレッダーに巻き込まれる事故が発生する可能性が減るという効果を奏する。
【０００８】
また、特許文献１のように装置内部に投入経路を設ける必要もないので、装置を小型化できるという効果もある。
【図面の簡単な説明】
【０００９】
【図１】本考案の実施例１に係るシュレッダーの正面図である。
【図２】本考案の実施例１に係るシュレッダーの上面図である。
【図３】本考案の実施例１に係るシュレッダーの左側面図である。
【図４】本考案の実施例２に係るシュレッダーの正面図である。
【図５】本考案の実施例２に係るシュレッダーの上面図である。
【図６】本考案の実施例２に係るシュレッダーの左側面図である。
【考案を実施するための形態】
【００１０】
以下、本考案の実施の形態について詳細に説明する。
シュレッダーの吸入孔の直上に、吸入孔に沿って、吸入孔を覆い得る太さと長さの巻き込み防止バーを設ける。
【００１１】
上記巻き込み防止バーとシュレッダーの吸入孔の隙間は、裁断物は入っても、指が入らない細さにしておく。
【００１２】
上記巻き込み防止バーの一方の端はビス等によって回動可能に取り付けられており、また、もう一方の端は、嵌め合わせ可能となっている。
【実施例１】
【００１３】
以下、添付図面に沿って、本考案の一実施例を説明する。
図１は本考案の一実施例のシュレッダーの正面図である。
シュレッダーの吸入孔１１の直上に、シュレッダーの吸入孔１１に沿って、巻き込み防止バー１２が取り付けられている。
【００１４】
巻き込み防止バー１２は円柱状でシュレッダーの吸入孔１１を覆い得る太さと長さに選定されている（図２）。また、巻き込み防止バー１２とシュレッダーの吸入孔１１の隙間は、指等が入らない細さに選定されている。
【００１５】
巻き込み防止バー１２の右端は支持架３にビス１４によって回動可能に取り付けられており、また、左端は、鉄製のバー受け１５に嵌め合わせ可能となっている（図３）。
【実施例２】
【００１６】
図４は本考案の実施例１とは別の一実施例のシュレッダーの正面図である。
シュレッダーの吸入口６の吸入孔２１の直上に、シュレッダーの吸入孔２１に沿って、巻き込み防止バー２２が取り付けられている。
【００１７】
巻き込み防止バー２２は円柱状でシュレッダーの吸入孔２１を覆い得る太さと長さに選定されている（図５）。また、巻き込み防止バー２２とシュレッダーの吸入孔２１の隙間は、指等が入らない細さに選定されている。
【００１８】
巻き込み防止バー２２の右端は吸入口６の右側部にビス２４によって回動可能に取り付けられており、また、左端は、吸入口６の左側部に取り付けられた鉄製のバー受け２５に嵌め合わせ可能となっている（図６）。
【００１９】
シュレッダーの吸入口６は、上部、下部、右端が吸入孔に向かって斜めに切りこまれている（図５）。
【００２０】
なお、実施例１、実施例２において、巻き込み防止バー１２、２２は円柱状であるが、巻き込み防止バー１２、２２はどのような形であっても構わない。
また、巻き込み防止バー１２、２２の取り付けにビス１４、２４を用いているが、取り付けには何を用いても構わないし、バー受け１５、２５の材質についても、適度の剛性と弾性を持っていれば、何であっても構わない。
また、バー受け１５、２５も、実施例１、実施例２の形でなくても構わないし、実施例２の吸入口６、実施例１の支持架３もこの形でなくても構わない。
【符号の説明】
【００２１】
１１．２１．吸入孔
１２．２２．巻き込み防止バー
３．支持架
１４．２４．ビス
１５．２５．バー受け
６．吸入口  
【図１】
0003163151.tif 000003
【図２】
0003163151.tif 000004
【図３】
0003163151.tif 000005
【図４】
0003163151.tif 000006
【図５】
0003163151.tif 000007
【図６】
0003163151.tif 000008
(57)【要約】      （修正有）【課題】頭部に装着することで、目元に現れる皮膚のたるみを目立たないようにすることができる頭部装着具を提供する。【解決手段】頭部装着具は、人の目尻の上付近に配置され、頭部自毛に頭部装着具を固定する固定具と、固定具付近に一端が配置され、頭部装着具の中心部に向かって配置される伸縮自在な伸縮具と、を備える。【選択図】図２
0003163106.tif 000002
【実用新案登録請求の範囲】
【請求項１】
人の頭部に装着する頭部装着具であって、
前記人の目尻の上付近に配置され、前記頭部自毛に当該頭部装着具を固定するための固定具と、
前記固定具付近に一端が配置され、当該頭部装着具の中心部に向かって配置される伸縮自在な伸縮具と、を備えることを特徴とする頭部装着具。
【請求項２】
前記固定具及び前記伸縮具の組み合わせを複数備え、
前記固定具及び伸縮具の各組は、前記人の頭部に装着した場合左右対称となるように配置されることを特徴とする請求項１に記載の頭部装着具。
【請求項３】
前記伸縮具は、着脱可能であることを特徴とする請求項１又は２に記載の頭部装着具。
【考案の詳細な説明】
【技術分野】
【０００１】
かつら、帽子など人の頭部に装着して使用する頭部装着具に関する技術である。
【背景技術】
【０００２】
一般的にかつらは、ストレス・加齢・親の遺伝・抗がん剤の使用などによる脱毛症によって失われた頭髪の一部分又は全体を補うために使用される。他方かつらは、髪型や髪の色全体を変えて見せる装飾品としても使用される。
【０００３】
ところで、加齢に伴うコラーゲンなどの減少・変質で人の皮膚は弾力が失われることに加え、筋肉量が減少することにより、人の皮膚には加齢に伴うたるみが起こる。特に、そのたるみは目元などに外見上顕著に現れる。そして、目元などに現れる皮膚のたるみが目立つと、人は現実の年齢以上に年を取って見られ易くなる。
【考案の概要】
【考案が解決しようとする課題】
【０００４】
人は高齢になるほど皮膚にたるみが現れ、外見上の印象も老けて見られる傾向が有る一方で、人は男女を問わず、現実の年齢より若く見られたいという願望を有するものである。
そこで、本考案では、頭部に装着することで、目元に現れる皮膚のたるみを目立たないようにする頭部装着具を提供することを目的とする。
【課題を解決するための手段】
【０００５】
開示する頭部装着具の一形態は、人の頭部に装着する頭部装着具であって、前記人の目尻の上付近に配置され、前記頭部自毛に当該頭部装着具を固定する固定具と、前記固定具付近に一端が配置され、当該頭部装着具の中心部に向かって配置される伸縮自在な伸縮具と、を備えることを特徴とする。
【０００６】
開示する頭部装着具の一形態は、さらに、前記固定具及び前記伸縮具の組み合わせを複数備え、前記固定具及び伸縮具の各組は、前記人の頭部に装着した場合左右対称となるように配置されることを特徴とする。
開示する頭部装着具の一形態において、前記伸縮具は、着脱可能であることを特徴とする。
【考案の効果】
【０００７】
開示する頭部装着具は、頭部に装着することで、目元に現れる皮膚のたるみを目立たないようにすることができる。
【図面の簡単な説明】
【０００８】
【図１】本実施の形態に係る頭部装着具の使用状態図である。
【図２】本実施の形態に係る頭部装着具の内部を示す図である。
【図３】本実施の形態に係る固定具及び伸縮具の詳細図である。
【考案を実施するための形態】
【０００９】
図面を参照しながら、本考案を実施するための形態について説明する。図１は、本実施の形態に係る頭部装着具１の一形態である「かつら」を頭部に装着した態様を示す図である。以下では頭部装着具１の一例として「かつら」を用いて説明を行うが、頭部装着具１は下記特徴を有する限りにおいて、「かつら」では無く「帽子」であっても良いし、「サンバイザー」であっても良い。
図１で示すように頭部装着具１は、人の頭部の毛髪が有る部分に装着して使用し、頭部装着具１の外観は一般的な「かつら」と何ら変わりが無い。
【００１０】
図２は、頭部装着具１「かつら」から毛髪部分の記載を省略し、頭部装着具１の内部構成を示す図である。図２で示すように、頭部装着具１は、固定具２、伸縮具３を備える。また図３は、固定具２及び伸縮具３の詳細を示す図である。
【００１１】
固定具２は、頭部装着具１を人の頭部に固定するために、頭部装着具１を装着する人の自毛に引っ掛けたり、自毛を挟んだりして固定する器具である。図３で示すように、例えば固定具２はくし形状をしており、当該くし形状部分に毛髪を挟んで固定する。また図２で示すように固定具２は、頭部装着具１を装着した場合に、人の目尻の上付近に位置するように配置される。
【００１２】
なお固定具２とは別に、頭部装着具１を人の頭部に固定するための固定具を適宜設けることは何ら問題が無い。例えば、一般的な「かつら」では、頭部前方中央部に当該固定具を設けたり、頭部後方中央部付近に長さが調節可能なゴム状の当該固定具を設けることで、頭部装着具１を人の頭部に固定する。
【００１３】
伸縮具３は、例えばゴムのように伸縮自在の器具であって、伸縮具３の一端は固定具２付近に配置される。図２及び図３では、伸縮具３の一端が固定具２付近に配置される態様を示している。また、図２で示すように伸縮具３は一定の長さを有し、固定具２付近に配置される一端を起点として頭部装着具１の中心部に向かって配置される。
【００１４】
次に、頭部装着具１の使用方法及び作用について説明する。頭部装着具１は、通常の「かつら」と同じように頭部へ装着すると共に、伸縮具３が伸びた状態で固定具２を目尻上付近の毛髪に固定する。すると、伸縮具３の縮む力によって固定具２及び固定具２に固定された毛髪が頭部装着具１の中心方向へ引っ張られることとなる。それに伴い、目尻（目元）付近の皮膚は頭頂部（頭部装着具１の中心）方向へ引き上げられ、目元に現れる皮膚のたるみが目立たないようになる。
【００１５】
なお、固定具２及び伸縮具３の対は複数個備えられ、人が頭部装着具１を装着した場合に、固定具２及び伸縮具３の各対は左右対象となるように配置される。これによって、目尻付近の皮膚が頭頂部方向に引き上げられる効果が左右対称に現れるため、外見上の不自然さが軽減される。
【００１６】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００１７】
１  頭部装着具
２  固定具
３  伸縮具
【図１】
0003163106.tif 000003
【図２】
0003163106.tif 000004
【図３】
0003163106.tif 000005
(57)【要約】      （修正有） 【課題】おしゃれの一部として楽しむことが出来る眼帯を提供する。【解決手段】眼帯は、内側がフェルト地、中心が堅い芯地、外側が刺繍や印刷を施すことが可能な布地、それら３層の布地により構成され、眼帯の芯地上部の中心より眼帯中心部程まで切り込みが入り、切られた部分を二重に重ね合わせて縫合する事により眼帯は凸状の立体形態となっている。眼帯を頭部に固定するために、約頭一周分の長さのゴム１本を眼帯端上部一方からもう一方の端上部にゴムの両端を縫合し、眼帯表面には柄の刺繍、柄のプリントといったデザインが施されている。【選択図】図２
0003163793.tif 000002
【実用新案登録請求の範囲】
【請求項１】
眼の保護、光の遮断をする役割を果たす眼帯において、眼を圧迫しない為に、立体的な構造を有し、着脱を簡易化するために頭部固定用の収縮するゴムは１本のみであり、表面にデザインが施されたことを特徴とするデザイン眼帯。
【考案の詳細な説明】
【技術分野】
【０００１】
本考案は、目の疾病、弱視や斜視等により片目を覆う必要のある者が、装着が簡易化され、また、ファッションの一部としてもその装着を楽しめる、眼帯に関するものである。
【背景技術】
【０００２】
従来の、病院又は薬局等で入手出来る医療用眼帯は、あて布の両端に２本ずつの紐、もしくは粘着素材により、頭部（顔面）に固定する。それらは装着し辛く、はずれ易い。また、装着している者に外見のイメージから「病人」という印象を与え、日常の生活でそれを装着する必要のある本人にしか分からぬ精神的負担、また、装着し辛さによるストレスがある。
【考案の概要】
【考案が解決しようとする課題】
【０００３】
眼帯を装着する事情は人により様々で、必ずしも短期間で不必要となるものではない。眼帯の着脱のし辛さ、長時間眼帯を装着すること、またそのデザインが持つイメージによるストレスは常時それが必要な者にとって時間的、精神的な負担となる。従って、頭部に固定する素材を収縮性のあるゴム１本にし、眼帯の着脱がし易くなり、着脱にかかる時間の短縮、また、顔面にかかるストレスからも開放される。眼帯の装着の簡易化に加え、眼帯の持つ「負」のイメージを無くす為にも、表面に刺繍、ビーズ、印刷等のデザインを施し、前述の欠点を解決しようとするものである。
【課題を解決するための手段】
【０００４】
本考案は、これまで頭部（顔面）に固定する素材が紐や粘着素材であったものを収縮性のあるゴムにし、装着した際、顔面に触れるのは、眼帯布面本体とゴム１本のみにする。装着している側の瞼に眼帯が直接触れないよう、眼帯布面本体の中心には厚みのある芯地を用い、立体感を持たせ、眼と眼帯の間に空間を作る。顔面に触れる、眼帯内面は肌触りの柔らかいフェルト素材を使用する。眼帯表面には、表面の布地に柄を刺繍したり、柄や模様を印刷する等、デザインを施す。これらの効果により、眼帯が着脱し易く、長時間装着によるストレスが軽減され、デザイン性をもったものを身につけることで、これまでの問題を解決する。
【考案の効果】
【０００５】
上述の様に、本考案のデザイン眼帯は着脱が簡易であり、従来の紐で固定するものに比べ、はずれにくく、着脱に手間取ることが無い。また、粘着素材のように肌に直接負担がかかることがないので肌がかぶれたりすることもなく、ゴムが１本になることで、顔面に邪魔な感覚が無くなる。また、デザインを施すことにより、従来の眼帯の病人のようなイメージから開放され、おしゃれの一部として眼帯を装着することを楽しむことが出来る。
【図面の簡単な説明】
【０００６】
【図１】眼帯本体の形状と頭部に装着するゴムのおおよその位置を示した図である。
【図２】考案した眼帯の構成を示す図を眼帯背面（内側）から示した図である。
【考案を実施するための形態】
【０００７】
眼を覆う眼帯本体は三層の布地により構成される。表面（一層目）は刺繍や印刷が可能な素材であれば特に素材を問わない。中心部（二層目）は、光が入るのを防ぎ、また、眼に直接触れることのないよう、凸型に形成し、眼を保護するためにも、表面の布より堅く厚い芯地を使用する。顔面に触れる面（第三層）にはフェルト等、肌触りの柔らかい布を使用する。これは、眼に近く、見える部分なので、色は、見えてもストレスの少ない、濃い暗色（黒・深緑・濃紺など）を用いる。眼帯本体の外周はバイアステープでとめ、３枚の布をより強く結合させる。眼帯本体の両端に頭部に固定する為のゴムをつける。眼帯本体の大きさは人の片目を覆うに足る大きさの楕円型である。        
【実施例】
【０００８】
以下、添付図面に従って一実施例を説明する。１は、綿、もしくは化学繊維等、刺繍、印刷等、デザイン性を持たせた眼帯本体、２は眼帯を頭部に固定するための収縮性のあるゴムである。３は三層から成る布（１、４、５）を定着させる為のバイアステープである。
【０００９】
４は眼帯に強度を持たせるための芯地であり４aの切り込みにより立体化、５は肌に直接触れる顔面に最も近い面になるので、フェルト地等の柔らかい布を使用する。ここは、眼との距離が近く、視界に入るところでもあるので、それがストレスにならぬよう暗色のフェルト地等を用いる。
【００１０】
本考案の実施例は上述の如き構成からなるものであるから、眼帯の装着に手間取る時間や面倒が無くなり、光を遮断でき、また立体的に作られているので、眼を圧迫することが無い。表面にはデザインが施されている為、眼帯をおしゃれの一部として精神的な苦痛を軽減して着用することができる。
【符号の説明】
【００１１】
１    デザインが施された眼帯本体
２    ゴム
３    バイアステープ
４    芯地
４ａ  切り込み
５    フェルト地
【図１】
0003163793.tif 000003
【図２】
0003163793.tif 000004
【手続補正書】
【提出日】平成22年6月8日(2010.6.8)
【手続補正１】
【補正対象書類名】実用新案登録請求の範囲
【補正対象項目名】全文
【補正方法】変更
【補正の内容】
【実用新案登録請求の範囲】
【請求項１】
この眼帯は３層の布地（内側：フェルト地、中心：堅い芯地、外側：刺繍や印刷を施すことが可能な布地）により構成され、眼帯の芯地上部の中心より眼帯中心部程まで切り込みが入り、切られた部分を二重に重ね合わせて縫合する事により眼帯は凸状の立体形態となっており、眼帯を頭部に固定するために、約頭一周分の長さのゴム１本を眼帯端上部一方からもう一方の端上部にゴムの両端を縫合し、眼帯表面には柄の刺繍、柄のプリントといったデザインが施されているデザイン眼帯。  
【手続補正書】
【提出日】平成22年8月30日(2010.8.30)
【手続補正１】
【補正対象書類名】実用新案登録請求の範囲
【補正対象項目名】全文
【補正方法】変更
【補正の内容】
【実用新案登録請求の範囲】
【請求項１】
この眼帯は、内側がフェルト地、中心が堅い芯地、外側が刺繍や印刷を施すことが可能な布地、それら３層の布地により構成され、眼帯の芯地上部の中心より眼帯中心部程まで切り込みが入り、切られた部分を二重に重ね合わせて縫合する事により眼帯は凸状の立体形態となっており、眼帯を頭部に固定するために、約頭一周分の長さのゴム１本を眼帯端上部一方からもう一方の端上部にゴムの両端を縫合し、眼帯表面には柄の刺繍、柄のプリントといったデザインが施されているデザイン眼帯。
(57)【要約】      （修正有）【課題】把握部分に滑り止め機能を持たせ、垢擦りを有効にし、健康増進に役立ち、皮膚摩擦を有効に出来るボディタオルを提供する。【解決手段】把握部分であるタオル両端部２を４重〜６重に折り重ね、柔らかいシリコーンゴム又はビニールチューブを縫い込み、指を差し込める穴３を設ける。【選択図】図１
0003163792.tif 000002
【実用新案登録請求の範囲】
【請求項１】
把握部分のタオル両端部２を折重ねた滑り止め防止機能を有する事を特徴とするボディタオル。
【請求項２】
請求項１に加えて、把握部分のタオル両端部２に柔らかいシリコーンゴムチューブ等を縫い込んだ事を特徴とするボディタオル。
【請求項３】
請求項１に加えて、タオルの適切な位置に指を差し込める穴３を有する事を特徴とするボディタオル。
【考案の詳細な説明】
【技術分野】
【０００１】  本考案の内容は、１人で背中等を洗う場合に使用する垢擦りボディタオルの構造に関するものである。
【背景技術】
【０００２】  従来、通常のボディタオルでは、１人で背中の垢擦りをする場合、ボディタオルの両端を両手でしっかりと把握する必要があり、握力が弱っている老人や握力に障害がある場合、充分な力で背中を擦ることが出来なかった。【０００３】  また、従来の垢擦りボディタオルに石鹸をつけて、１人で背中の垢擦りをする場合、把握部分が更に滑り易くなり、その効果が不充分であった。
【特許文献１】
【考案の開示】
【考案が解決しようとする課題】
【０００４】  １人で背中の垢擦りをする時、把握する部分を滑り難くして、垢擦りを容易に、且つ有効に出来るボディタオルを供給すること。【０００５】  しっかりと把握できて、健康にも役立つ身体摩擦に有効なボディタオルを供給すること。
【課題を解決するための手段】  以下図面により説明する。【０００６】  図３の詳細図に示す如く、ボディタオル本体１の両端部２を４重〜６重に折り、巻き込み、膨らみを作り、押さえ糸２１で押さえ縫いをして、図５の如く把握出来るものとした。【０００７】  図４に示す如く、ボディタオル本体１の両端部２に柔らかいシリコーンゴムチューブ等２３を縫いこむことで、図５の如く把握出来るものとした。【０００８】  図１に示す如く、ボディタオル本体１の両端部２から内側の適切な位置に穴３を２箇所、合計４箇所設けたのもとした。【０００９】  図１に示す如く、穴３を補強するために、穴補強布４をボディタオル本体１に縫い付けたものとした。
【考案の効果】
【００１０】  図５の如く、ボディタオル本体１を把握すると、両端部２の膨らみが滑り止めとなって、握力が弱くても滑らず、しっかりと把握することが出来る。【００１１】  図６の如く、ボディタオル本体１を縦に折り、１つになった穴３に親指を差し込み、把握すると、確実な滑り止めとなる。【００１２】  図７の如く、手の届かない背中、肩、腰等にボディタオルを使用すれば、有効な垢擦りが可能となる。また身体摩擦に使用すれば、血行の循環を促し、健康増進に役立つものとなる。【００１３】  図８の如く、ボディタオルの乾燥時にボディタオル本体１に設けた穴３を利用して吊るすことが出来き、洗濯バサミ等が不要となる。
【考案を実施するための最良の形態】
【００１４】  本考案のボディタオル本体１の素材は、加工方法により、肌触りのソフトなものや固いものを作ることが出来るナイロン繊維を使用するとよい。【００１５】  ボディタオル本体１の巾は１５ｃｍ〜２０ｃｍがよく、長さは１ｍ〜１．３ｍとし、大、中、小とサイズ分けをして作ればよい。【００１６】  図４如く、ボディタオル本体１の両端部２に柔らかいシリコーンゴムチューブ等２３を縫い込むことで、滑り止めとして最も簡単で有効なものとなる。
【実施例】
【００１７】  図７に背中を摩擦する場合と、背中を垢擦りをする場合の様子を示した。
【産業上の利用可能性】
【００１８】  特になし。
【図面の簡単な説明】
【００１９】
【図１】ボディタオルの平面図
【図２】ボディタオルの断面図
【図３】ボディタオルの断面詳細図
【図４】ボディタオル両端部にシリコーンゴムチューブ等を縫い込んだ様子
【図５】ボディタオルを把握した様子
【図６】ボディタオルの穴に親指を差し込んで把握した様子
【図７】ボディタオルを背中の摩擦に使用している様子
【図８】ボディタオルを竿竹等で乾燥する時の様子
【符号の説明】
【００２０】１．ボディタオル本体
２．ボディタオル両端部
２１．押さえ糸
２２．かがり糸
２３．シリコーンゴムチューブ等
３．ボディタオルに設けた穴
４．穴補強布
４１．穴押さえ糸
４２．穴かがり糸
【図１】
0003163792.tif 000003
【図２】
0003163792.tif 000004
【図３】
0003163792.tif 000005
【図４】
0003163792.tif 000006
【図５】
0003163792.tif 000007
【図６】
0003163792.tif 000008
【図７】
0003163792.tif 000009
【図８】
0003163792.tif 000010
【手続補正書】
【提出日】平成22年5月19日(2010.5.19)
【手続補正１】
【補正対象書類名】実用新案登録請求の範囲
【補正対象項目名】全文
【補正方法】変更
【補正の内容】
【実用新案登録請求の範囲】
【請求項１】
把握部分であるタオル両端部２を４重〜６重に折り重ねた事を特徴とするボディタオル。
【請求項２】
把握部分であるタオル両端部２に柔らかいシリコーンゴム又はビニールチューブを縫い込んだ事を特徴とする請求項１に記載のボディタオル。
【請求項３】
請求項１に加えて、タオルの把握部分の適切な位置に指を差し込める穴３を有する事を特徴とするボディタオル。
【手続補正書】
【提出日】平成22年8月13日(2010.8.13)
【手続補正１】
【補正対象書類名】実用新案登録請求の範囲
【補正対象項目名】全文
【補正方法】変更
【補正の内容】
【実用新案登録請求の範囲】
【請求項１】
把握部分であるタオル両端部２を４重〜６重に折り重ねた事を特徴とするボディタオル。
【請求項２】
把握部分であるタオル両端部２に柔らかいシリコーンゴム又はビニールチューブを縫い込んだ事を特徴とする請求項１に記載のボディタオル。
【請求項３】
請求項１に加えて、タオルの把握部分の適切な位置に指を差し込める穴３を有する事を特徴とする請求項１に記載のボディタオル。